(57)【特許請求の範囲】
【請求項１】
光記録媒体であって、
光透過性の基板と、
該基板の一方の面に形成された記録層と、
該記録層の表面に形成された反射膜と、
前記基板の光が入射される他方の面に形成された固有識別情報印刷層と、
を有し、
前記固有識別情報印刷層は、当該光記録媒体の半径方向及び回転方向にそれぞれ分割された、複数の固有識別情報記録領域を有し、
該固有識別情報記録領域のそれぞれは、印刷領域又は非印刷領域であり、当該印刷領域及び非印刷領域の光の透過率が異なり、前記印刷領域及び非印刷領域の分布により再生可能な固有の識別情報が表され、
前記印刷領域は、特定周波数のテクスチャーを有する印刷領域である、
光記録媒体。
【請求項２】
前記記録層は、データの有無に応じて凹凸が形成された記録面である請求項１記載の光記録媒体。
【請求項３】
前記反射膜の表面に保護膜を有する請求項１記載の光記録媒体。
【請求項４】
前記記録層は、相変化記録層である請求項１記載の光記録媒体。
【請求項５】
前記記録層は、光磁気記録膜である請求項１記載の光記録媒体。
【請求項６】
前記記録層は、データの有無に応じて記録光の照射により極大吸収波長が変化する有機色素を含有する請求項１記載の光記録媒体。
【請求項７】
光記録媒体であって、
光透過性の基板と、
該基板の一方の面に形成された記録層と、
該記録層の表面に形成された光の一部を透過する反射膜と、
該反射膜の表面に形成された保護膜と、
該保護膜の表面に形成された固有識別情報印刷層と、
を有し、
前記固有識別情報印刷層は、当該光記録媒体の半径方向及び回転方向にそれぞれ分割された、複数の固有識別情報記録領域を有し、
該固有識別情報記録領域のそれぞれは、印刷領域又は非印刷領域であり、当該印刷領域及び非印刷領域の光の反射率が異なり、前記印刷領域及び非印刷領域の分布により再生可能な固有の識別情報が表される、
光記録媒体。
【請求項８】
前記印刷領域は、特定周波数のテクスチャーを有する印刷領域である請求項７記載の光記録媒体。
【請求項９】
前記記録層は、データの有無に応じて凹凸が形成された記録面である請求項７記載の光記録媒体。
【請求項１０】
前記記録層は、相変化記録層である請求項７記載の光記録媒体。
【請求項１１】
前記記録層は、光磁気記録膜である請求項７記載の光記録媒体。
【請求項１２】
前記記録層は、データの有無に応じて記録光の照射により極大吸収波長が変化する有機色素を含有する請求項７記載の光記録媒体。
【請求項１３】
請求項１〜６のうちいずれか一項に記載の光記録媒体の記録情報の再生方法であって、
光を前記固有識別情報印刷層に照射して、当該光の透過率が異なる印刷領域及び非印刷領域の分布を検出する工程と、
前記光を前記記録層に照射する工程と、
前記光の照射により得られる再生信号を低域部と高域部に帯域分割し、低域部の信号から前記光記録媒体の固有識別情報を再生し、高域部の信号から前記光記録媒体の記録情報を再生する工程と、
前記固有識別情報を再生する工程の後に、再生された固有識別情報と予めホストに登録された固有識別情報とを照合する工程と、
を有し、
該照合をすると、前記記録情報を再生する工程が行われる、
光記録媒体の再生方法。
【請求項１４】
前記固有識別情報および前記記録情報を再生する工程は、前記光を照射して前記固有識別情報印刷層の透過光を前記記録層に入射させる工程と、
前記記録層の透過光を反射膜により反射させる工程と、
前記反射膜からの反射光を検出する工程を有する請求項１３記載の光記録媒体の再生方法。
【請求項１５】
請求項７〜１２のうちいずれか一項に記載の光記録媒体の記録情報の再生方法であって、
光を前記固有識別情報印刷層に照射して、当該光の反射率が異なる印刷領域及び非印刷領域の分布を検出する工程と、
前記光を前記記録層に照射する工程と、
前記光の照射により得られる再生信号を低域部と高域部に帯域分割し、低域部の信号から前記光記録媒体の固有識別情報を再生し、高域部の信号から前記光記録媒体の記録情報を再生する工程と、
前記固有識別情報を再生する工程の後に、再生された固有識別情報と予めホストに登録された固有識別情報とを照合する工程と、
を有し、
該照合をすると、前記記録情報を再生する工程が行われる、
光記録媒体の再生方法。
【請求項１６】
前記固有識別情報および前記記録情報を再生する工程は、前記光を照射して前記記録層の透過光を反射膜により反射させる工程と、
前記反射膜の透過光を前記固有識別情報印刷層により反射させる工程と、
前記反射膜および前記固有識別情報印刷層からの反射光を検出する工程とを有する請求項１５記載の光記録媒体の再生方法。
【発明の詳細な説明】
【０００１】
【発明の属する技術分野】
本発明は、光記録媒体およびその記録再生方法に関し、特に、複製あるいは偽造が困難である固有識別情報が付加された光記録媒体およびその記録再生方法に関する。
【０００２】
【従来の技術】
近年、パーソナルコンピュータやインターネットの普及により、画像データや音声データの利用が増加し、記録媒体に記録されるデジタルデータの量は急速に増大している。膨大なデジタルデータを供給あるいは転送する手段としては、電話回線等のケーブルを用いた情報通信に加えて、衛星を利用した情報通信等も次々と実用化されている。
しかしながら一方で、例えば光ディスクや光磁気ディスク等の光記録媒体を介したデジタルデータの供給は、比較的容易かつ低コストであることから、光記録媒体の流通量は急速に増大している。これに伴い、光記録媒体の高密度化および大容量化が急速に進められており、再生専用の記録媒体についても、例えばデジタルビデオディスク等の大容量光記録媒体が次々と実用化されている。
【０００３】
従来の光記録媒体としては、例えば、マスタースタンパーからのパターンの転写により、基板の成形時に表面に凹凸を形成して記録層とし、記録された情報の再生時には、光照射により表面の凹凸を検出する再生専用の光記録媒体が挙げられる。また、光照射によって相変化現象を起こし、複素屈折率が変化する材料を用いて記録層を形成し、光照射により記録・再生を行う相変化記録再生方式の光記録媒体が挙げられる。あるいは、光照射および磁界の印加により磁化状態が変化する材料を用いて記録層を形成し、情報の記録時に記録層に生じた磁化状態の変化を、光照射により偏光状態の変化として検出し、情報の再生を行う光磁気記録再生方式の光記録媒体が挙げられる。
【０００４】
上記の従来の光記録媒体は、再生専用、相変化記録再生方式、光磁気記録再生方式のいずれについても、媒体自体の偽造が技術的に可能である。媒体には情報の記録領域が設けられるが、媒体自体に複製が困難な固有の識別情報が付加されているわけではない。通常、光記録媒体にはデジタルデータ以外に、媒体表面への印刷等によっても情報が付加されるが、このような加工は複製や偽造が可能である。したがって、光記録媒体の不正な複製あるいは偽造を防止するための手段が必要とされている。
【０００５】
光記録媒体の不正な複製等を防止するための従来の手段としては、例えば記録情報の一部を媒体の固有の識別情報とする方法や、記録情報中に固有の識別情報を埋め込む電子透かしの方法等がある。例えば、光記録媒体に記録された情報を読み出す際に、ユーザは光記録媒体上の固有識別情報と照合するパスワードやシリアルナンバー等の入力を要求される。ユーザの入力が光記録媒体上の固有識別情報と合致すれば、光記録媒体に記録された情報の読み出しが続行される。ユーザの入力が光記録媒体上の固有識別情報と合致しなければ、光記録媒体に記録された情報の読み出しは中断される。
【０００６】
【発明が解決しようとする課題】
しかしながら、上記のように記録情報の一部に固有識別情報を含有させる方法によれば、記録情報と固有識別情報との記録・再生手段が同一であるため、記録情報を不正に複製すると固有識別情報も複製される。したがって、ユーザによる固有識別情報の照会が行われる段階で、複製の元となった光記録媒体と同一のパスワードやシリアルナンバー等を入力すれば、複製された光記録媒体の不正な使用も可能であった。また、媒体自体が偽造された媒体かどうかを確実に検証する方法も開発されていない。
【０００７】
さらに、媒体自体への固有識別情報の付加が比較的容易に行えることも必要とされる。例えば、再生専用の光記録媒体の場合、基板成形時に基板表面に形成される凹凸が記録層となる。基板として多用されるプラスチック基板は、加熱溶融された樹脂を高速で射出し、スタンパのついた金型に充填した後、冷却することにより形成される。したがって、基板表面の凹凸である記録層を利用して、媒体ごとに固有の識別情報を付加しようとすると、媒体ごとにスタンパを変える必要があり、コスト的に実用化が困難である。
【０００８】
本発明は上記の問題点に鑑みてなされたものであり、したがって本発明は、複製あるいは偽造が困難である固有の識別情報が媒体自体に付加された光記録媒体およびその記録再生方法を提供することを目的とする。
【０００９】
【課題を解決するための手段】
上記の目的を達成するため、本発明の光記録媒体は、光透過性の基板と、該基板の一方の面に形成された記録層と、該記録層の表面に形成された反射膜と、前記基板の光が入射される他方の面に形成された固有識別情報印刷層と、を有し、前記固有識別情報印刷層は、当該光記録媒体の半径方向及び回転方向にそれぞれ分割された、複数の固有識別情報記録領域を有し、該固有識別情報記録領域のそれぞれは、印刷領域又は非印刷領域であり、当該印刷領域及び非印刷領域の光の透過率が異なり、前記印刷領域及び非印刷領域の分布により再生可能な固有の識別情報が表されることを特徴とする。
【００１０】
本発明の光記録媒体は、好適には、前記印刷領域は、特定周波数のテクスチャーを有する印刷領域であることを特徴とする。本発明の光記録媒体は、好適には、前記反射膜の表面に保護膜を有することを特徴とする。
【００１１】
あるいは、本発明の光記録媒体は、好適には、前記記録層は光照射により相変化現象を起こし、複素屈折率が変化する材料からなる相変化記録層であることを特徴とする。あるいは、本発明の光記録媒体は、好適には、前記記録層は、光照射および磁界の印加により磁化状態が変化し、前記磁化状態の変化を偏光状態の変化として検出可能な材料からなる光磁気記録膜であることを特徴とする。あるいは、本発明の光記録媒体は、好適には、前記記録層は、データの有無に応じて記録光の照射により極大吸収波長が変化する有機色素を含有することを特徴とする。
【００１２】
これにより、光記録媒体に複製あるいは偽造が困難である固有の識別情報を付加することが可能となる。本発明の光記録媒体に記録された固有識別情報を照合することにより、光記録媒体の不正な複製あるいは偽造を防止することが可能となる。
【００１３】
上記の目的を達成するため、本発明の光記録媒体は、光透過性の基板と、該基板の一方の面に形成された記録層と、該記録層の表面に形成された光の一部を透過する反射膜と、該反射膜の表面に形成された保護膜と、該保護膜の表面に形成された固有識別情報印刷層と、を有し、前記固有識別情報印刷層は、当該光記録媒体の半径方向及び回転方向にそれぞれ分割された、複数の固有識別情報記録領域を有し、 該固有識別情報記録領域のそれぞれは、印刷領域又は非印刷領域であり、当該印刷領域及び非印刷領域の光の反射率が異なり、前記印刷領域及び非印刷領域の分布により再生可能な固有の識別情報が表されることを特徴とする。
【００１４】
本発明の光記録媒体は、好適には、前記印刷領域は、特定周波数のテクスチャーを有する印刷領域であることを特徴とする。本発明の光記録媒体は、好適には、前記印刷領域は、前記反射膜を透過して前記固有識別情報印刷層に入射する前記光を所定の反射率で反射する領域であることを特徴とする。
【００１５】
あるいは、本発明の光記録媒体は、好適には、前記記録層は光照射により相変化現象を起こし、複素屈折率が変化する材料からなる相変化記録層であることを特徴とする。あるいは、本発明の光記録媒体は、好適には、前記記録層は光照射および磁界の印加により磁化状態が変化し、前記磁化状態の変化を偏光状態の変化として検出可能な材料からなる光磁気記録膜であることを特徴とする。あるいは、本発明の光記録媒体は、好適には、前記記録層はデータの有無に応じて記録光の照射により極大吸収波長が変化する有機色素を含有することを特徴とする。
【００１６】
これにより、光記録媒体に複製あるいは偽造が困難である固有の識別情報を付加することが可能となる。本発明の光記録媒体に記録された固有識別情報を照合することにより、光記録媒体の不正な複製あるいは偽造を防止することが可能となる。
【００１７】
上記の目的を達成するため、本発明の光記録媒体の再生方法は、光を照射して記録情報を再生する光記録媒体の再生方法であって、光を前記固有識別情報印刷層に照射して、当該光の透過率が異なる印刷領域及び非印刷領域の分布を検出する工程と、前記光を前記記録層に照射する工程と、前記光の照射により得られる再生信号を低域部と高域部に帯域分割し、低域部の信号から前記光記録媒体の固有識別情報を再生し、高域部の信号から前記光記録媒体の記録情報を再生する工程と、前記固有識別情報を再生する工程の後に、再生された固有識別情報と予めホストに登録された固有識別情報とを照合する工程と、を有し、該照合をすると、前記記録情報を再生する工程が行われることを特徴とする。
【００１９】
本発明の光記録媒体の記録情報の再生方法において、好適には、前記印刷領域は、特定周波数のテクスチャーを有する印刷領域であることを特徴とする。また、好適には、前記記録層は、データの有無に応じて凹凸が形成された記録面であることを特徴とする。さらに好適には、前記反射膜の表面に保護膜を有することを特徴とする。あるいは、好適には、前記記録層は光照射により相変化現象を起こし、複素屈折率が変化する材料からなる相変化記録層であることを特徴とする。
【００２０】
あるいは、本発明の光記録媒体の記録情報の再生方法において、好適には、前記記録層は光照射および磁界の印加により磁化状態が変化し、前記磁化状態の変化を偏光状態の変化として検出可能な材料からなる光磁気記録膜であることを特徴とする。あるいは、好適には、前記記録層はデータの有無に応じて記録光の照射により極大吸収波長が変化する有機色素を含有することを特徴とする。
【００２１】
本発明の光記録媒体の記録情報の再生方法は、好適には、前記固有識別情報および前記記録情報を再生する工程は、前記光を照射して前記固有識別情報印刷層の透過光を前記記録層に入射させる工程と、前記記録層の透過光を反射膜により反射させる工程と、前記反射膜からの反射光を検出する工程を有することを特徴とする。
【００２２】
これにより、情報の記録・再生を行う光記録媒体に、複製あるいは偽造が困難である固有の識別情報を付加することが可能となる。光記録媒体上の固有識別情報を管理することにより、光記録媒体の不正な複製あるいは偽造を防止することが可能となる。
【００２３】
上記の目的を達成するため、本発明の光記録媒体の再生方法は、光を照射して記録情報を再生する光記録媒体の再生方法であって、光を前記固有識別情報印刷層に照射して、当該光の反射率が異なる印刷領域及び非印刷領域の分布を検出する工程と、前記光を前記記録層に照射する工程と、前記光の照射により得られる再生信号を低域部と高域部に帯域分割し、低域部の信号から前記光記録媒体の固有識別情報を再生し、高域部の信号から前記光記録媒体の記録情報を再生する工程と、前記固有識別情報を再生する工程の後に、再生された固有識別情報と予めホストに登録された固有識別情報とを照合する工程と、を有し、該照合をすると、前記記録情報を再生する工程が行われることを特徴とする。
【００２５】
本発明の光記録媒体の記録情報の再生方法において、好適には、前記印刷領域は、特定周波数のテクスチャーを有する印刷領域であることを特徴とする。また、好適には、前記記録層は、データの有無に応じて凹凸が形成された記録面であることを特徴とする。あるいは、好適には、前記記録層は光照射により相変化現象を起こし、複素屈折率が変化する材料からなる相変化記録層であることを特徴とする。
【００２６】
あるいは、本発明の光記録媒体の記録情報の再生方法において、好適には、前記記録層は光照射および磁界の印加により磁化状態が変化し、前記磁化状態の変化を偏光状態の変化として検出可能な材料からなる光磁気記録膜であることを特徴とする。あるいは、好適には、前記記録層はデータの有無に応じて記録光の照射により極大吸収波長が変化する有機色素を含有することを特徴とする。
【００２７】
本発明の光記録媒体の記録情報の再生方法は、好適には、前記固有識別情報および前記記録情報を再生する工程は、前記光を照射して前記記録層の透過光を反射膜により反射させる工程と、前記反射膜の透過光を前記固有識別情報印刷層により反射させる工程と、前記反射膜および前記固有識別情報印刷層からの反射光を検出する工程とを有することを特徴とする。
【００２８】
これにより、情報の記録・再生を行う光記録媒体に、複製あるいは偽造が困難である固有の識別情報を付加することが可能となる。光記録媒体上の固有識別情報を管理することにより、光記録媒体の不正な複製あるいは偽造を防止することが可能となる。
【００２９】
【発明の実施の形態】
以下に、本発明の光記録媒体およびその記録再生方法の実施の形態について、図面を参照して説明する。
（実施形態１）
図１および図２に本実施形態の光記録媒体（光ディスク）の断面図を示し、図３にその上面図を示す。図１に示すように、レーザ光（再生光）Ｌは光透過性の基板１を介して記録面２に照射される。反射膜３において反射された光を検出し、記録情報の読み出しが行われる。基板１の記録面２とは反対側の面に、固有識別情報印刷層４が形成されている。
【００３０】
図２は図１のさらに詳細な断面図であり、図２に示すように、本実施形態の光ディスクは基板１の一方の面に凹凸が形成され、記録面２となっている。基板１は例えばポリカーボネートやポリメチルメタクリレート等のアクリル系樹脂からなり、膜厚は例えば１．２ｍｍ程度である。記録面２の表面には、例えばＡｌまたはＡｌ合金が蒸着された反射膜３が形成されている。反射膜３の材料としては、再生光の波長における所定の反射率を有する材料であれば、金属以外を用いることもできる。また、反射膜の表面には、通常、紫外線硬化型樹脂などからなる保護膜５が形成されている。固有識別情報印刷層４の少なくとも一部に印刷領域４ａが形成されている。
【００３１】
固有識別情報印刷層４は、図３に示すように、光ディスクの半径方向および回転方向（円周方向）にそれぞれ分割された、複数の固有識別情報記録領域４’を有する。図３は、光ディスクの半径方向に３分割され、回転方向に８分割された合計２４個の固有識別情報記録領域４’を有する固有識別情報印刷層４の場合を模式的に示したが、固有識別情報記録領域４’の分割パターンはこれに限定されない。また、固有識別情報記録領域４’は必ずしも光ディスクの全面に形成する必要はない。固有識別情報記録領域４’は、光を一部透過させる半透過性の印刷領域４ａと非印刷領域４ｂのいずれかとなる。
【００３２】
図１および図２に示すように、再生光を基板１を介して記録面２に照射する構成の場合、基板１における再生光の透過率は、通常ほぼ１００％となるように設計される。しかしながら、本実施形態の光記録媒体によれば、印刷領域４ａにおける再生光の透過率を例えば９５％程度とし、非印刷領域４ｂにおける透過率との差を設ける。これにより、印刷領域４ａと非印刷領域４ｂの分布が再生信号のエンベロープの変化として検出可能となる。レーザ光が記録面２にフォーカスされると、固有識別情報記録領域４’のうち印刷領域４ａでは透過率の変化が再生信号強度に重畳される。
【００３３】
図４（ａ）および（ｂ）に、図１〜３に示した光記録媒体からの固有識別情報の読み出しについて模式的に示す。図３に示す光記録媒体の任意の位置を０度とすると、半径方向に互いに位置の異なる再生ビームパスＡ、Ｂ、Ｃにおける固有識別情報記録領域４’（印刷領域４ａおよび非印刷領域４ｂ）の分布は図４（ａ）のように表される。図４（ｂ）に再生ビームパスＡにおける再生信号強度を示す。図４（ｂ）に示すように、再生信号は一定の振幅を有する高周波として検出されるが、印刷領域４ａとそれ以外の部分で記録面の信号に変調が生じ、エンベロープの低周期の変化として印刷領域４ａが検出される。
【００３４】
（実施形態２）
図５および図６に本実施形態の光記録媒体（光ディスク）の断面図を示す。本実施形態の光ディスクは、上記の実施形態１の光ディスクと層構成が異なり、上面図は実施形態１（図３参照）と共通する。
図５に示すように、レーザ光（再生光）Ｌは光透過性の基板１を介して記録面２に照射される。反射膜３において反射された光を検出し、記録情報の読み出しが行われるが、レーザ光Ｌの一部は反射膜３を透過する。特に、反射膜の膜厚が薄い場合には反射膜の透過率がある程度大きくなる。本実施形態の光ディスクは、基板１の光入射側とは反対側の面に固有識別情報印刷層４が形成されており、反射膜３の透過光を利用して印刷領域と非印刷領域との識別が行われる。
【００３５】
図６は図５のさらに詳細な断面図であり、図６に示すように、本実施形態の光ディスクは基板１の一方の面に凹凸が形成され、記録面２となっている。基板１は例えばポリカーボネートからなり、膜厚は例えば１．２ｍｍ程度である。記録面２の表面には、例えばＡｌが蒸着された反射膜３が形成されている。また、反射膜の表面には、通常、紫外線硬化型樹脂などからなる保護膜５が形成されている。さらに、保護膜５の表面に固有識別情報印刷層４が形成され、固有識別情報印刷層４の少なくとも一部に印刷領域４ａが形成されている。
【００３６】
本実施形態の光記録媒体によれば、レーザ光に対してある程度の反射率を有する材料を用いて固有識別情報印刷層４を形成する。これにより、印刷領域４ａと非印刷領域４ｂの分布が再生信号のエンベロープの変化として検出可能となる。レーザ光が記録面２にフォーカスされると、固有識別情報記録領域４’のうち印刷領域４ａでは光ディスクからの反射光の強度が変化し、再生信号強度に重畳される。
【００３７】
（実施形態３）
図７に、本実施形態の光記録媒体（光ディスク）の上面図を示す。上記の実施形態１または２においては、図３の上面図に示すように固有識別情報の印刷領域４ａは一様の印刷面として形成されるが、図７に示すように、固有識別情報の印刷領域４ｃとして特定周波数のテクスチャーを有する印刷面を形成してもよい。
前述した実施形態１に示すように、一様な印刷面を形成した場合、光記録媒体の表面に付着する指紋等の汚れを固有識別情報の印刷領域４ａと誤って検出する可能性がある。それに対し、本実施形態の光記録媒体によれば、印刷面に形成されたテクスチャーの特定周波数が、再生信号に反映されることになる。したがって、光記録媒体の表面の汚れ等と固有識別情報の印刷領域４ｃとの判別をより容易に行うことが可能である。
【００３８】
（実施形態４）
図８に、本発明の光記録媒体の再生に用いることができる再生装置の一例をブロック図で示す。図８の再生装置は光ピックアップ１１と、増幅回路１２と、マトリクス回路１３と、位相補償回路１４と、２軸駆動回路１５と、帯域分割部１６とを有する。光記録媒体１７は、モータ１８により一定の線速度あるいは角速度で回転される。
【００３９】
光ピックアップ１１はレーザダイオード２１と、コリメータレンズ２２と、回折格子２３と、偏光ビームスプリッタ２４と、対物レンズ２５と、集光レンズ２６と、フォトダイオード２７を有する。光ピックアップ１１にはレーザダイオード２１や対物レンズ２５等を移動させる電磁アクチュエータ（不図示）も設けられる。また、図示しないが回折格子２３と偏光ビームスプリッタ２４との間には１／２波長板が、偏光ビームスプリッタ２４と対物レンズ２５との間には１／４波長板がそれぞれ設けられる。
【００４０】
光ピックアップ１１は、レーザダイオード２１からのレーザ光Ｌを光記録媒体１７に照射し、光記録媒体１７からの反射光をフォトダイオード２７により検出して受光信号を生成する。
光ピックアップ１１において、レーザダイオード２１は直線偏光のレーザ光Ｌを出射し、レーザ光Ｌはコリメータレンズ２２により平行光となって回折格子２３に入射する。レーザ光Ｌは回折格子２３により主ビーム（第０次回折光）と副ビーム（第１次回折光）に分離される。さらに、１／２波長板により主ビームおよび副ビームの偏光面が回転される。１／２波長板からの光の大部分は偏光ビームスプリッタ２４を透過して１／４波長板に到達し、円偏光となって対物レンズ２５に入射する。
【００４１】
光記録媒体１７において反射されたレーザビームＬＢは、１／４波長板により直線偏光となり、偏光ビームスプリッタ２４に入射する。このとき、１／２波長板からの光（レーザダイオード２１からの照射光）と、１／４波長板からの光（光記録媒体１７からの反射光）とは偏光面が直交する。その後、レーザ光Ｌは偏光ビームスプリッタ２４において反射され、集光レンズ２６により収束されてフォトダイオード２７に入射する。フォトダイオード２７においてレーザ光Ｌは光電変換され、受光信号が生成する。
【００４２】
増幅回路１２は、光ピックアップ１１が生成した受光信号を電流信号から電圧信号に変換して増幅し、マトリクス回路１３に供給する。マトリクス回路１３は受光信号に基づいて再生信号ＲＦと、フォーカス誤差信号ＦＥと、トラッキング誤差信号ＴＥとを生成する。位相補償回路１４は、マトリクス回路１３から供給されたフォーカス誤差信号ＦＥとトラッキング誤差信号ＴＥを補償（位相補償および／または周波数補償）して、補償信号を２軸駆動回路１５に供給する。
【００４３】
２軸駆動回路１５は、位相補償回路１４からの補償信号に基づき、対物レンズ２５を移動させる電磁アクチュエータの駆動制御信号を生成して、光ピックアップ１１に供給する。光ピックアップ１１内の電磁アクチュエータは、フォーカシングアクチュエータとトラッキングアクチュエータを有し、フォーカシングアクチュエータはフォーカス誤差信号ＦＥの補償信号に基づいて対物レンズをフォーカス方向に移動させる。一方、トラッキングアクチュエータはトラッキング誤差信号ＴＥの補償信号に基づいて対物レンズをトラッキング方向（光記録媒体１７の半径方向）に移動させる。
モータ１８は、例えばスピンドルモータにより構成される。
【００４４】
マトリクス回路１３から供給される再生信号ＲＦは、例えばバンドパスフィルターを含む帯域分割部１６により高域部と低域部に分離される。再生信号ＲＦの高域部から光記録媒体の記録情報が検出され、低域部から光記録媒体の固有識別情報が検出される。
以上のように、従来の光記録媒体の再生装置に帯域分割部１６を追加し、再生信号ＲＦの低域部を解析する手段を設けることにより、本発明の光記録媒体から記録情報および固有識別情報を再生することが可能である。
【００４５】
（実施形態５）
本発明の光記録媒体からの記録情報および固有識別情報の再生の手順を、図９のフローチャートに示す。
図９に示すように、まず、光記録媒体（ディスク）を再生装置に挿入してからフォーカスを調整する。ホストから固有識別情報（ＩＤ）の照合を行う場合には、図３あるいは図７における再生ビームパスＡ、Ｂ、Ｃの半径ＲをそれぞれＲ1 、Ｒ2 、Ｒ3 として、Ｒ＝Ｒ1 相当のアドレスにシークしてＩＤ1 を検出する。次に、Ｒ＝Ｒ2 相当のアドレスにシークしてＩＤ2 を検出する。さらに、Ｒ＝Ｒ3 相当のアドレスにシークしてＩＤ3 を検出する。上記のＩＤ1 、ＩＤ2 およびＩＤ3 の検出順序は適宜変更できる。検出されたＩＤをホストに返し、予めホストに登録されたＩＤと照合すると、ディスクに記録された情報が読み出され、通常動作が開始される。
【００４６】
一方、ホストからＩＤの照合を行わない場合には、従来の光記録媒体と同様に、フォーカス調整後、通常動作が開始される。
上記の光記録媒体の再生手順により、記録情報が不正に複製あるいは偽造されたディスクを再生しようとした場合、固有識別情報を含む印刷面も複製あるいは偽造されていないと通常動作を行うことができない。ディスク上への固有識別情報の付加は、記録情報の記録とは異なる方法により行われているため、光記録媒体の複製あるいは偽造は、従来の光記録媒体の複製あるいは偽造に比較して、より困難となる。したがって、本実施形態の光記録媒体によれば、光記録媒体の不正な複製や偽造、あるいは、不正に複製あるいは偽造された光記録媒体の使用を防止することが可能となる。
【００４７】
（実施形態６）
本発明の光記録媒体は、実施形態１および２に示す再生専用の光記録媒体に限定されず、相変化記録再生方式あるいは光磁気記録再生方式などの光記録媒体であってもよい。相変化記録再生方式あるいは光磁気記録再生方式のように、書き換え可能であって、かつ、情報の記録に光照射が用いられる光記録媒体の場合、前述した実施形態１と同様に光記録媒体の表面に固有識別情報印刷層を形成すると、情報の記録時に照射されるレーザ光（記録光）が固有識別情報印刷層の影響を受けることになる。したがって、これらの書き換え可能な光記録媒体に固有識別情報印刷層を形成する場合、情報の記録を行った後に印刷層を形成する。
【００４８】
図１０（ａ）および（ｂ）は本実施形態の相変化記録再生方式の光記録媒体の断面図である。図１０に示すように、本実施形態の光記録媒体は光入射側から基板１、誘電体膜６、相変化記録層７、反射膜３および保護膜５が順に積層された構造を有する。基板１、反射膜３および保護膜５の材料としては、前述した実施形態１と同様のものを用いることができる。誘電体膜６としては例えばＺｎＳ−ＳｉＯ2 層が用いられ、誘電体膜６は相変化記録層７の保護膜として機能する。相変化記録層７としては例えばＧｅ−Ｓｂ−Ｔｅ層が用いられる。相変化記録層７の材料には、レーザ光照射により結晶とアモルファスの間を可逆的に相変化する材料、例えば、カルコゲンやカルコゲン化合物が用いられる。
【００４９】
図１０（ａ）の場合には、基板１のレーザ光が照射される側の面に固有識別情報印刷層４が形成されており、実施形態１と同様に、印刷領域を透過する再生光が、非印刷領域を透過する再生光に比較して強度が弱まることを利用して、固有識別情報の再生が行われる。
一方、図１０（ｂ）の場合には、保護膜５の表面に固有識別情報印刷層４が形成されており、反射膜３を透過する再生光を固有識別情報印刷層４で反射させ、固有識別情報の再生が行われる。
【００５０】
図１１（ａ）および（ｂ）は本実施形態の光磁気記録再生方式の光記録媒体の断面図である。図１１に示すように、本実施形態の光記録媒体は光入射側から基板１、誘電体膜６、光磁気記録膜８、反射膜３および保護膜５が順に積層された構造を有する。基板１、反射膜３および保護膜５の材料としては、前述した実施形態１と同様のものを用いることができる。誘電体膜６としては例えばＺｎＳ−ＳｉＯ2 層が用いられ、誘電体膜６は光磁気記録膜８の保護膜として機能する。
【００５１】
光磁気記録膜８としては例えばＴｂＦｅＣｏのアモルファス合金層が用いられる。光磁気記録膜８には、磁界を印加した状態でレーザ光を照射することにより磁化の状態が変化するフェライト材料や永久磁石材料等を用いることができる。光磁気記録膜８として上記のＴｂＦｅＣｏ層以外に、例えばＴｂＦｅ、ＧｄＦｅＣｏ、ＧｄＦｅ、ＮｄＦｅＣｏ、ＮｄＦｅ、ＤｙＦｅＣｏ、ＤｙＦｅ等のアモルファス合金層、Ｃｏ／Ｐｔ等の多層膜や、ガーネット材料等の酸化物からなる層を用いることもできる。
【００５２】
図１１（ａ）の場合には、基板１のレーザ光が照射される側の面に固有識別情報印刷層４が形成されており、実施形態１と同様に、印刷領域を透過する再生光が、非印刷領域を透過する再生光に比較して強度が弱まることを利用して、固有識別情報の再生が行われる。
一方、図１１（ｂ）の場合には、保護膜５の表面に固有識別情報印刷層４が形成されており、反射膜３を透過する再生光を固有識別情報印刷層４で反射させ、固有識別情報の再生が行われる。
【００５３】
上記の本発明の実施形態の光記録媒体によれば、光記録媒体に複製あるいは偽造が困難である固有識別情報印刷層を設けることにより、光記録媒体の不正な複製あるいは偽造を防止することができる。
また、上記の本発明の実施形態の記録再生方法によれば、光記録媒体に複製が困難である固有識別情報を付加し、光記録媒体上の固有識別情報を照合してから光記録媒体の再生が行われるため、不正に複製あるいは偽造された光記録媒体の使用を防止することが可能となる。
【００５４】
本発明の光記録媒体およびその記録再生方法の実施形態は、上記の説明に限定されない。例えば、光記録媒体はディスク型に限定されない。また、上記の再生専用、相変化記録再生方式あるいは光磁気記録再生方式以外の光記録媒体に本発明を適用することも可能である。例えば、記録層に含有される有機色素の極大吸収波長を、記録光の照射により変化させて情報の記録を行う方式の光記録媒体に、本発明を適用して固有識別情報を付加することも可能である。その他、本発明の要旨を逸脱しない範囲で、種々の変更が可能である。
【００５５】
【発明の効果】
本発明の光記録媒体によれば、各光記録媒体に複製あるいは偽造が困難である固有識別情報を付加することが可能となる。
また、本発明の記録再生方法によれば、光記録媒体に記録された固有識別情報を照合した上で、記録情報を再生することが可能であり、不正に複製あるいは偽造された光記録媒体の使用を防止することが可能となる。
【図面の簡単な説明】
【図１】本発明の実施形態１に係る光記録媒体の断面図である。
【図２】本発明の実施形態１に係る光記録媒体の断面図である。
【図３】本発明の実施形態１に係る光記録媒体の上面図である。
【図４】本発明の実施形態１に係る光記録媒体からの読み出し信号を表す模式図である。
【図５】本発明の実施形態２に係る光記録媒体の断面図である。
【図６】本発明の実施形態２に係る光記録媒体の断面図である。
【図７】本発明の実施形態３に係る光記録媒体の上面図である。
【図８】本発明の実施形態４に係り、本発明の光記録媒体の再生装置を表すブロック図である。
【図９】本発明の実施形態５に係り、本発明の光記録媒体の再生手順を表すフローチャートである。
【図１０】（ａ）および（ｂ）は本発明の実施形態６に係る光記録媒体の断面図である。
【図１１】（ａ）および（ｂ）は本発明の実施形態６に係る光記録媒体の断面図である。
【符号の説明】
１…基板、２…記録面、３…反射膜、４…固有識別情報印刷層、４’…固有識別情報記録領域、４ａ、４ｃ…印刷領域、４ｂ…非印刷領域、５…保護膜、６…誘電体層、７…相変化記録層、８…光磁気記録膜、１１…光ピックアップ、１２…増幅回路、１３…マトリクス回路、１４…位相補償回路、１５…２軸駆動回路、１６…帯域分割部、１７…光記録媒体、１８…モータ、２１…レーザダイオード、２２…コリメータレンズ、２３…回折格子、２４…偏光ビームスプリッタ、２５…対物レンズ、２６…集光レンズ、２７…フォトダイオード。
【図１】
0004264612.tif 000002
【図２】
0004264612.tif 000003
【図３】
0004264612.tif 000004
【図４】
0004264612.tif 000005
【図５】
0004264612.tif 000006
【図６】
0004264612.tif 000007
【図７】
0004264612.tif 000008
【図８】
0004264612.tif 000009
【図９】
0004264612.tif 000010
【図１０】
0004264612.tif 000011
【図１１】
0004264612.tif 000012